(57)【要約】      （修正有）【課題】自動車の左右の座席の背もたれの背面側に分けて吊るして使用することもできる分割可能な車内用吊下げ収納体を提供する。【解決手段】一面側に収納部を設けた第一面部材２と第二面部材４の互いの連結辺間に各面部材を上下に連結でき且つ分離できる連結用スライドファスナー６を装着した。第一面部材に、連結した各面部材又は分離した第一面部材を背もたれの背面側に吊下げる第一掛け部材７を取付け、第二面部材には、分離した第二面部材を背もたれの背面側に吊下げる第二掛け部材１０を取付けた。第一面部材の収納部３を複数の収納ポケット、第二面部材の収納部５を開閉用スライドファスナー５Ｂで開閉できるメッシュ状の被い部５Ａとした。また、各面部材に複数のフック状の係合部材２５を取付け、この係合部材に係止される係合ループを取付けた別体のティッシュ収納ケースを備えた。【選択図】図１
0003206722.tif 000002
【実用新案登録請求の範囲】
【請求項１】
一面側に収納部を設けた、直線状の連結辺をもつ第一面部材と、一面側に収納部を設けた、前記連結辺と略同じ長さの直線状の連結辺をもつ第二面部材と、この第一面部材と第二面部材の互いの連結辺間に沿って装着された、前記第一面部材と第二面部材を上下に連結でき且つ分離できる連結用スライドファスナーと、前記第一面部材に取り付けられ、座席の背もたれの上部とヘッドレストの間のヘッドレスト取付け軸部に掛けることができる第一掛け部材と、前記第二面部材に取り付けられ、座席の背もたれの上部とヘッドレストの間のヘッドレスト取付け軸部に掛けることができる第二掛け部材とで車内用吊下げ収納体を構成し、前記第一掛け部材によって、前記連結用スライドファスナーで上下に連結された第一面部材と第二面部材を該第一面部材が上に該第二面部材が下になるよう座席の背もたれの背面側に吊下げ可能であり、又は前記連結用スライドファスナーで分離された前記第一面部材を該第一面部材の連結辺が下側になるよう座席の背もたれの背面側に吊下げ可能にし、前記第二掛け部材によって、前記連結用スライドファスナーで分離された前記第二面部材を該第二面部材の連結辺が下側になるよう座席の背もたれの背面側に吊下げ可能にしたことを特徴とする車内用吊下げ収納体。
【請求項２】
前記第一面部材と第二面部材は、各面部材の表皮面が柔軟シート材から成る柔軟シート部で形成されると共に、各連結辺とは反対側の他辺側の端部寄りの柔軟シート部の内部に板状芯材を入れて装着し、前記連結用スライドファスナーで連結した第一面部材と第二面部材のそれぞれの前記板状芯材の装着位置の間の柔軟シート部を折り畳み可能な折り曲げ部とした請求項１に記載の車内用吊下げ収納体。
【請求項３】
前記第一面部材の一面側に設けた前記収納部が連結した吊り下げ状態あるいは分離した吊り下げ状態において上方向に開口部を向けた複数の収納ポケットであり、前記第二面部材の一面側に設けた前記収納部が該第二面部材の一面側を柔軟なメッシュ状の被い部で収納空間を空けて覆って取付け、このメッシュ状の被い部に該被い部を開閉可能とする被い部開閉用スライドファスナーを装着して成る請求項１に記載の車内用吊下げ収納体。
【請求項４】
前記第一掛け部材が、前記第一面部材の連結辺とは反対側の他辺部側にその両端部が取付けられ、座席の背もたれの上部とヘッドレストの間のヘッドレスト取付け軸部に掛け回して第一面部材を背もたれの背面側に吊下げ可能な長さを有する帯状又は紐状の掛けバンドであり、この掛けバンドに該掛けバンドのバンド長さを調節できる長さ調節具と該掛けバンドをバンド途中で分断と連結ができる装脱着可能な雄バックルと雌バックルから成る第一連結具を設け、前記第二掛け部材が、前記第二面部材の連結辺とは反対側の他辺部側にその両端部が取付けられ、座席の背もたれの上部とヘッドレストの間のヘッドレスト取付け軸部に掛け回して第二面部材を背もたれの背面側に吊下げ可能な長さを有する帯状又は紐状の掛けバンドであり、この掛けバンドに該掛けバンドのバンド長さを調節できる長さ調節具と該掛けバンドをバンド途中で分断と連結ができる装脱着可能な雄バックルと雌バックルから成る第二連結具を設けた請求項１に記載の車内用吊下げ収納体。
【請求項５】
前記第二掛け部材が、前記第二面部材の連結辺とは反対側の他辺部側の両端側に取り付けられた取付けバンド部と、この取付けバンド部を介して前記第二面部材に取り付けられた、座席の背もたれの下部の全周に掛け回し可能な長さを有する環状の固定バンド部とを有し、この環状の固定バンド部に該固定バンド部のバンド長さを調節できる長さ調節具と該固定バンド部をバンド途中で分断と連結ができる装脱着可能な雄バックルと雌バックルから成る第二連結具を設けた請求項１に記載の車内用吊下げ収納体。
【請求項６】
前記第二掛け部材が、前記第二面部材の連結辺とは反対側の他辺部側の両端側に取り付けられた取付けバンド部と、この取付けバンド部を介して前記第二面部材に取り付けられた、座席の背もたれの下部の全周に掛け回し可能な長さを有する環状の固定バンド部とを有し、この環状の固定バンド部に該固定バンド部のバンド長さを調節できる長さ調節具と該固定バンド部をバンド途中で分断と連結ができる装脱着可能な雄バックルと雌バックルから成る第二連結具を設け、さらに前記取付けバンド部に該取付けバンド部をバンド途中で分断と連結ができる装脱着可能な雄バックルと雌バックルから成る第三連結具を設け、この第三連結具によって前記固定バンド部を車内用吊下げ収納体から取り外しできるようにしたことを特徴とする請求項１に記載の車内用吊下げ収納体。
【請求項７】
前記第一面部材と第二面部材は、各面部材の表皮面が柔軟シート材から成る柔軟シート部で形成されると共に、各連結辺とは反対側の他辺側の端部寄りの柔軟シート部の内部に板状芯材を入れて装着し、前記連結用スライドファスナーで連結した第一面部材と第二面部材のそれぞれの板状芯材の装着位置の間の柔軟シート部を折り畳み可能な折り曲げ部とし、この折り曲げ部で車内用吊下げ収納体を収納部が内側になるようにして折り畳み可能であり、さらに、前記第一面部材又は第二面部材の前記収納部を設けた面の裏側面で前記連結辺とは反対側の他辺側の端部寄り位置に雄又は雌の第一止着具を取付け、他方の面部材の前記収納部を設けた面の裏側面で前記連結辺とは反対側の他辺側の端部寄り位置に折り畳まれた車内用吊下げ収納体の両端部に掛け渡しできる長さの閉じバンドを取付け、この閉じバンドの自由端部に前記第一止着具に装脱着される雄又は雌の第二止着具を取付け、さらに、折り畳まれた車内用吊下げ収納体を提げるための提げ部を前記第一面部材と第二面部材の前記連結辺とは反対側の他辺側の端部にそれぞれ取付けた請求項１に記載の車内用吊下げ収納体。
【請求項８】
前記第一面部材又は第二面部材の前記収納部を設けた面側、あるいは前記第一面部材及び第二面部材の前記収納部を設けた面側に各面部材の吊り下げ上下方向とは直交する方向に所定の間隔を空けて複数のフック状の係合部材を取付け、この係合部材は一端部が面部材面に止着された折り曲げ自在な柔軟な係合帯部を有し、この係合帯部の折り返し状態で対向する両端部に着脱自在な係止具を設け、前記係合帯部がこの係止具を介して閉じたループ帯形態、開いた開放帯形態に開閉可能に構成された請求項１に記載の車内用吊下げ収納体。
【請求項９】
前記第一面部材又は第二面部材の前記収納部を設けた面側、あるいは前記第一面部材及び第二面部材の前記収納部を設けた面側に各面部材の吊り下げ上下方向とは直交する方向に所定の間隔を空けて複数のフック状の係合部材を取付け、この係合部材は一端部が面部材面に止着された折り曲げ自在な柔軟な係合帯部を有し、この係合帯部の折り返し状態で対向する両端部に着脱自在な係止具を設け、前記係合帯部がこの係止具を介して閉じたループ帯形態、開いた開放帯形態に開閉可能に構成された車内用吊下げ収納体と、この車内用吊下げ収納体に付属する別体のティッシュ収納ケースを更に備え、このティッシュ収納ケースは、一面にティッシュペーパーの取り出し口をもつティッシュ入り紙箱を収納する収納ケースであり、このティッシュ収納ケースは、前記ティッシュ入り紙箱の取り出し口に対応する取り出し口を開口した前面部、後面部、上面部、下面部、左右側面部をもつ柔軟材で形成された箱体であり、該ティッシュ収納ケースの前面部の三辺に沿ってティッシュ収納ケース開閉用スライドファスナーを装着し、この開閉用スライドファスナーで前面部の全面を開閉可能に構成し、該ティッシュ収納ケースの後面部と上面部の境界位置の両端側に前記係合部材に通して掛けることができる係合ループをそれぞれ取付けた請求項１に記載の車内用吊下げ収納体。
【請求項１０】
前記第二面部材に取り付けた複数のフック状の係合部材は、第二面部材の前記連結辺の近くに沿って所定の間隔を空けて取付けたことを特徴とする請求項８又は９に記載の車内用吊下げ収納体。
【考案の詳細な説明】
【技術分野】
【０００１】
本考案は、主に自動車の座席の背もたれの背面側に吊るして使用する車内用吊下げ収納体であり、特に自動車の左右の座席の背もたれの背面側に吊るして使用することもできる分割して使用可能な車内用吊下げ収納体に関する。
【背景技術】
【０００２】
自動車の座席の背もたれの背面側に吊るして使用し、その収納部内におむつ等を収納できるようにした車内用吊下げ収納体としては、特許文献１の自動車用バッグが公開されている。この自動車用バッグは、一方の側壁が少なくとも直角に開くように構成されたバック本体と、他方の側壁の上端に設けられ、自動車のヘッドレストに回すことにより当該他方の側壁を自動車の座席の背当て背面に吊るすように長さが調節された紐を備え、この他方の側壁におむつやウェットティッシュパックを収納できる複数のポケットを設けたものである。
【先行技術文献】
【特許文献】
【０００３】
【特許文献１】実用新案登録第３０６５７５０号公報
【考案の概要】
【考案が解決しようとする課題】
【０００４】
本考案は、収納部にペットボトル、お菓子、おむつ、着替えなどを効率よく収納できる、自動車の座席の背もたれの背面側に吊るして使用する車内用吊下げ収納体であり、一つの車内用吊下げ収納体をそのまま使用でき、あるいは自動車の左右の座席の背もたれの背面側に分けて吊るして使用することもできる分割して使用可能な車内用吊下げ収納体を提供することを主な目的とする。
【０００５】
また、本考案は、折り畳めば、収納部にペットボトル、お菓子、おむつ、着替えなどを効率よく収納できるバッグとして使用できる車内用吊下げ収納体を提供することを目的とする。
【０００６】
また、本考案は、別体のティッシュ収納ケースを組み合わせることによって、このティッシュ収納ケース内に収納した公知のティッシュ入り紙箱を自動車の座席の背もたれの背面側に効率よく吊るして使用でき、吊るしたティッシュ収納ケース内のティッシュ入り紙箱からティッシュを効率よく取り出し使用できる車内用吊下げ収納体を提供することを目的とする。
【課題を解決するための手段】
【０００７】
前記した目的を達成するため、本考案（請求項１の考案）は、一面側に収納部を設けた、直線状の連結辺をもつ第一面部材と、一面側に収納部を設けた、前記連結辺と略同じ長さの直線状の連結辺をもつ第二面部材と、この第一面部材と第二面部材の互いの連結辺間に沿って装着された、前記第一面部材と第二面部材を上下に連結でき且つ分離できる連結用スライドファスナーと、前記第一面部材に取り付けられ、座席の背もたれの上部とヘッドレストの間のヘッドレスト取付け軸部に掛けることができる第一掛け部材と、前記第二面部材に取り付けられ、座席の背もたれの上部とヘッドレストの間のヘッドレスト取付け軸部に掛けることができる第二掛け部材とで車内用吊下げ収納体を構成し、前記第一掛け部材によって、前記連結用スライドファスナーで上下に連結された第一面部材と第二面部材を該第一面部材が上に該第二面部材が下になるよう座席の背もたれの背面側に吊下げ可能であり、又は前記連結用スライドファスナーで分離された前記第一面部材を該第一面部材の連結辺が下側になるよう座席の背もたれの背面側に吊下げ可能にし、前記第二掛け部材によって、前記連結用スライドファスナーで分離された前記第二面部材を該第二面部材の連結辺が下側になるよう座席の背もたれの背面側に吊下げ可能にしたことを特徴とする車内用吊下げ収納体を提供する。
【０００８】
この車内用吊下げ収納体は、連結用スライドファスナーで各面部材の収納部を設けた一面側が同じ面になるよう第一面部材が上に第二面部材を下にして各面部材を上下に連結し、第一面部材に取付けられた第一掛け部材を自動車の座席の背もたれの上部とヘッドレストの間のヘッドレスト取付け軸部に掛けることによって、上下に連結した第一面部材と第二面部材を座席の背もたれの背面側に収納部を設けた面側が表側になるようにして吊して使用できる。しかも、この車内用吊下げ収納体は、連結用スライドファスナーで第一面部材と第二面部材を分離して、この車内用吊下げ収納体を第一面部材と第二面部材に分割し、分割した各面部材に取付けられたそれぞれの掛け部材を自動車の左右の座席の背もたれの上部とヘッドレストの間のヘッドレスト取付け軸部にそれぞれ掛けることによって、分割した第一面部材と第二面部材を自動車の左右の座席の背もたれの背面側に収納部を設けた面側が表側になるようにしてそれぞれ吊して使用できる。すなわち、分割した第一面部材は上下を連結使用時の状態と同じにして第一掛け部材で吊して使用し、分割した第二面部材は連結使用時とは上下を反対にして第二掛け部材で吊して使用する。
【０００９】
さらに、本考案（請求項２の考案）は、前記第一面部材と第二面部材は、各面部材の表皮面が柔軟シート材から成る柔軟シート部で形成されると共に、各連結辺とは反対側の他辺側の端部寄りの柔軟シート部の内部に板状芯材を入れて装着し、前記連結用スライドファスナーで連結した第一面部材と第二面部材のそれぞれの前記板状芯材の装着位置の間の柔軟シート部を折り畳み可能な折り曲げ部とした車内用吊下げ収納体を提供する。
【００１０】
この考案によれば、特に、分割した第一面部材と第二面部材を自動車の左右の座席の背もたれの背面側にそれぞれの掛け部材で吊して使用する場合、それぞれの板状芯材の装着位置が各面部材の上端部側に位置するため、各面部材の吊り下げ姿勢をそれぞれの板状芯材で保持できる。しかも、連結用スライドファスナーで連結した第一面部材と第二面部材のそれぞれの板状芯材の装着位置の間の柔軟シート部を折り畳み可能な折り曲げ部としてあるため、この折り曲げ部で車内用吊下げ収納体を収納部が内側になるようにして折り畳むことができる。
【００１１】
さらに、本考案（請求項３の考案）は、前記第一面部材の一面側に設けた前記収納部が連結した吊り下げ状態あるいは分離した吊り下げ状態において上方向に開口部を向けた複数の収納ポケットであり、前記第二面部材の一面側に設けた前記収納部が該第二面部材の一面側を柔軟なメッシュ状の被い部で収納空間を空けて覆って取付け、このメッシュ状の被い部に該被い部を開閉可能とする被い部開閉用スライドファスナーを装着して成る車内用吊下げ収納体を提供する。
【００１２】
この考案によれば、第一面部材の複数の収納ポケットにはペットボトルやお菓子などいろいろな物品を効率良く収納できる。第一面部材の収納部をペットボトルなどのボトル用の一つ又は複数のボトル収納ポケットとし、このボトル収納ポケットのポケット内壁を保冷や保温ができる保冷保温材で形成することができる。また、第二面部材のメッシュ状の収納部にはおむつや着替えの衣類などを効率良く収納できる。第二面部材のメッシュ状の収納部は上下を反対にしても収納部としての働きが同じになるように構成してあるため、連結使用時はもちろんのこと、上下を反対にして使用する分割使用時も収納部として同じ働きができる。
【００１３】
さらに、本考案（請求項４の考案）は、前記第一掛け部材が、前記第一面部材の連結辺とは反対側の他辺部側にその両端部が取付けられ、座席の背もたれの上部とヘッドレストの間のヘッドレスト取付け軸部に掛け回して第一面部材を背もたれの背面側に吊下げ可能な長さを有する帯状又は紐状の掛けバンドであり、この掛けバンドに該掛けバンドのバンド長さを調節できる長さ調節具と該掛けバンドをバンド途中で分断と連結ができる装脱着可能な雄バックルと雌バックルから成る第一連結具を設け、前記第二掛け部材が、前記第二面部材の連結辺とは反対側の他辺部側にその両端部が取付けられ、座席の背もたれの上部とヘッドレストの間のヘッドレスト取付け軸部に掛け回して第二面部材を背もたれの背面側に吊下げ可能な長さを有する帯状又は紐状の掛けバンドであり、この掛けバンドに該掛けバンドのバンド長さを調節できる長さ調節具と該掛けバンドをバンド途中で分断と連結ができる装脱着可能な雄バックルと雌バックルから成る第二連結具を設けた車内用吊下げ収納体を提供する。
【００１４】
雄バックルと雌バックルから成る連結具のワンタッチの装脱着で掛けバンドを座席の背もたれの上部とヘッドレストの間のヘッドレスト取付け軸部に掛け回し装着する作業が容易である。
【００１５】
さらに、本考案（請求項５の考案）は、前記第二掛け部材が、前記第二面部材の連結辺とは反対側の他辺部側の両端側に取り付けられた取付けバンド部と、この取付けバンド部を介して前記第二面部材に取り付けられた、座席の背もたれの下部の全周に掛け回し可能な長さを有する環状の固定バンド部とを有し、この環状の固定バンド部に該固定バンド部のバンド長さを調節できる長さ調節具と該固定バンド部をバンド途中で分断と連結ができる装脱着可能な雄バックルと雌バックルから成る第二連結具を設けた車内用吊下げ収納体を提供する。
【００１６】
この考案によれば、上下に連結した第一面部材と第二面部材を座席の背もたれの背面側に吊して使用する場合は、長さ調節ができる環状の固定バンド部を座席の背もたれの下部の全周に掛け回し締め付けることによって、車内用吊下げ収納体の下部側を座席の背もたれの背面側に固定できる。よって、車内用吊下げ収納体の吊り下げ姿勢を座席の背もたれの背面側に固定できる。しかも、雄バックルと雌バックルから成る第二連結具のワンタッチの装脱着で環状の固定バンド部を座席の背もたれの下部の全周に掛け回し装着する作業が容易である。
【００１７】
さらに、本考案（請求項６の考案）は、前記第二掛け部材が、前記第二面部材の連結辺とは反対側の他辺部側の両端側に取り付けられた取付けバンド部と、この取付けバンド部を介して前記第二面部材に取り付けられた、座席の背もたれの下部の全周に掛け回し可能な長さを有する環状の固定バンド部とを有し、この環状の固定バンド部に該固定バンド部のバンド長さを調節できる長さ調節具と該固定バンド部をバンド途中で分断と連結ができる装脱着可能な雄バックルと雌バックルから成る第二連結具を設け、さらに前記取付けバンド部に該取付けバンド部をバンド途中で分断と連結ができる装脱着可能な雄バックルと雌バックルから成る第三連結具を設け、この第三連結具によって前記固定バンド部を車内用吊下げ収納体から取り外しできるようにした車内用吊下げ収納体を提供する。
【００１８】
車内用吊下げ収納体をバッグ状に折り畳んで用いる場合は、環状の固定バンド部を車内用吊下げ収納体から簡単に取り外して使用できるようにした。
【００１９】
さらに、本考案（請求項７の考案）は、前記第一面部材と第二面部材は、各面部材の表皮面が柔軟シート材から成る柔軟シート部で形成されると共に、各連結辺とは反対側の他辺側の端部寄りの柔軟シート部の内部に板状芯材を入れて装着し、前記連結用スライドファスナーで連結した第一面部材と第二面部材のそれぞれの板状芯材の装着位置の間の柔軟シート部を折り畳み可能な折り曲げ部とし、この折り曲げ部で車内用吊下げ収納体を収納部が内側になるようにして折り畳み可能であり、さらに、前記第一面部材又は第二面部材の前記収納部を設けた面の裏側面で前記連結辺とは反対側の他辺側の端部寄り位置に雄又は雌の第一止着具を取付け、他方の面部材の前記収納部を設けた面の裏側面で前記連結辺とは反対側の他辺側の端部寄り位置に折り畳まれた車内用吊下げ収納体の両端部に掛け渡しできる長さの閉じバンドを取付け、この閉じバンドの自由端部に前記第一止着具に装脱着される雄又は雌の第二止着具を取付け、さらに、折り畳まれた車内用吊下げ収納体を提げるための提げ部を前記第一面部材と第二面部材の前記連結辺とは反対側の他辺側の端部にそれぞれ取付けた車内用吊下げ収納体を提供する。
【００２０】
この考案によれば、前記折り曲げ部で車内用吊下げ収納体を収納部が内側になるようにしてバッグ状に折り畳み、前記閉じバンドをバッグ状に折り畳まれた車内用吊下げ収納体の両端部に掛け渡し、この閉じバンドの第二止着具と他方の第一止着具を止着することで車内用吊下げ収納体をバッグ状の折り畳み形態に保持できる。バッグ状に折り畳まれた車内用吊下げ収納体は各面部材に取り付けた提げ部で提げて携行できる。
【００２１】
さらに、本考案（請求項８の考案）は、前記第一面部材又は第二面部材の前記収納部を設けた面側、あるいは前記第一面部材及び第二面部材の前記収納部を設けた面側に各面部材の吊り下げ上下方向とは直交する方向に所定の間隔を空けて複数のフック状の係合部材を取付け、この係合部材は一端部が面部材面に止着された折り曲げ自在な柔軟な係合帯部を有し、この係合帯部の折り返し状態で対向する両端部に着脱自在な係止具を設け、前記係合帯部がこの係止具を介して閉じたループ帯形態、開いた開放帯形態に開閉可能に構成された車内用吊下げ収納体を提供する。
【００２２】
この考案によれば、例えば、手提げ部をもつビニール袋の手提げ部を複数のフック状の係合部材に通して掛けることで、各面部材に上方向に開口部を向けて拡げたビニール袋を吊下げ支持でき、ビニール袋を車内用ゴミ袋として有効に使用できる。この複数のフック状の係合部材は後述する別体のティッシュ収納ケースを吊るす機能も併せ持っている。
【００２３】
さらに、本考案（請求項９の考案）は、前記第一面部材又は第二面部材の前記収納部を設けた面側、あるいは前記第一面部材及び第二面部材の前記収納部を設けた面側に各面部材の吊り下げ上下方向とは直交する方向に所定の間隔を空けて複数のフック状の係合部材を取付け、この係合部材は一端部が面部材面に止着された折り曲げ自在な柔軟な係合帯部を有し、この係合帯部の折り返し状態で対向する両端部に着脱自在な係止具を設け、前記係合帯部がこの係止具を介して閉じたループ帯形態、開いた開放帯形態に開閉可能に構成された車内用吊下げ収納体と、この車内用吊下げ収納体に付属する別体のティッシュ収納ケースを更に備え、このティッシュ収納ケースは、一面にティッシュペーパーの取り出し口をもつティッシュ入り紙箱を収納する収納ケースであり、このティッシュ収納ケースは、前記ティッシュ入り紙箱の取り出し口に対応する取り出し口を開口した前面部、後面部、上面部、下面部、左右側面部をもつ柔軟材で形成された箱体であり、該ティッシュ収納ケースの前面部の三辺に沿ってティッシュ収納ケース開閉用スライドファスナーを装着し、この開閉用スライドファスナーで前面部の全面を開閉可能に構成し、該ティッシュ収納ケースの後面部と上面部の境界位置の両端側に前記係合部材に通して掛けることができる係合ループをそれぞれ取付けた車内用吊下げ収納体を提供する。
【００２４】
この考案によれば、ティッシュ収納ケースの左右一対の係合ループを車内用吊下げ収納体の複数のフック状の係合部材にそれぞれ通して掛けることで、このティッシュ収納ケースを該収納ケースの取り出し口を開口した前面部を前面方向に向けて各面部材に吊下げ支持できるため、ティッシュ収納ケース内に収納してあるティッシュ入り紙箱内のティッシュペーパーを該収納ケースの前面部の取り出し口から取り出し易い。しかもティッシュ収納ケース開閉用スライドファスナーでティッシュ収納ケースの前面部を全開することで新しいティッシュ入り紙箱の取替えが容易にできる。
【００２５】
さらに、本考案（請求項１０の考案）は、前記第二面部材に取り付けた複数のフック状の係合部材は、第二面部材の前記連結辺の近くに沿って所定の間隔を空けて取付けたことを特徴とする車内用吊下げ収納体を提供する。
【考案の効果】
【００２６】
本考案の車内用吊下げ収納体は、自動車の座席の背もたれの背面側に吊るして使用でき、収納部にペットボトル、お菓子、おむつ、着替えなどを効率良く収納できる。特に、本考案の車内用吊下げ収納体は、一つの車内用吊下げ収納体をそのまま使用でき、あるいは一つの車内用吊下げ収納体を二つに分割して、自動車の左右の座席の背もたれの背面側に分けて吊るして使用することもできる。
【００２７】
また、本考案の車内用吊下げ収納体は、折り畳めば、収納部にペットボトル、お菓子、おむつ、着替えなどを効率よく収納できるバッグとしても使用できる。
【００２８】
また、本考案の車内用吊下げ収納体は、別体のティッシュ収納ケースを組み合わせることによって、このティッシュ収納ケース内に収納した公知のティッシュ入り紙箱を自動車の座席の背もたれの背面側に効率よく吊るして使用でき、このティッシュ収納ケースを該収納ケースの取り出し口を開口した前面部を前面方向に向けて各面部材に吊下げ支持できるため、吊るしたティッシュ収納ケース内のティッシュ入り紙箱からティッシュを効率よく取り出し使用できる。
【図面の簡単な説明】
【００２９】
【図１】連結した使用状態を示す車内用吊下げ収納体の斜視図である。
【図２】分割した使用状態を示す車内用吊下げ収納体の斜視図である。
【図３】図１の一部省略した中央拡大縦断面図である。
【図４】別体のティッシュ収納ケースを組み合わせた使用例を示す斜視図である。
【図５】図４のティッシュ収納ケースの他の使用例を示す斜視図である。
【図６】バッグ状の折り畳み形態とした車内用吊下げ収納体の斜視図である。
【考案を実施するための形態】
【００３０】
本考案の実施形態を示した図面に基づき説明する。図１は連結した使用状態の本考案の車内用吊下げ収納体、図２は分割した使用状態の本考案の車内用吊下げ収納体を示している。
【００３１】
本考案の車内用吊下げ収納体１は、一面側に収納部３を設けた、直線状の連結辺２Ａをもつ表皮面が合成繊維布などの柔軟シート材で形成された略方形（横が長い長方形）の板状の第一面部材２と、一面側に収納部５を設けた、前記連結辺２Ａと略同じ長さの直線状の連結辺４Ａをもつ表皮面が合成繊維布などの柔軟シート材で形成された略方形（横が長い長方形）の板状の第二面部材４と、この第一面部材２と第二面部材４の互いの連結辺（２Ａ，４Ａ）間に沿って装着された、第一面部材２と第二面部材４を上下に連結でき且つ分離できる連結用スライドファスナー６と、第一面部材２の連結辺２Ａとは反対側の他辺２Ｂ側（図１では上辺側）に取り付けられ、座席の背もたれＳ１の上部とヘッドレストＳ２の間のヘッドレスト取付け軸部Ｓ３（このヘッドレスト取付け軸部Ｓ３が露出していない場合は、座席の背もたれＳ１の上部とヘッドレストＳ２の間の凹み部に掛け回すことになる。以下、同じ。）に掛け回すことがでる長さの第一掛け部材７と、第二面部材４の連結辺４Ａとは反対側の他辺４Ｂ側（図１では下辺側）に取り付けられ、座席の背もたれＳ１の上部とヘッドレストＳ２の間のヘッドレスト取付け軸部Ｓ３（このヘッドレスト取付け軸部Ｓ３が露出していない場合は、座席の背もたれＳ１の上部とヘッドレストＳ２の間の凹み部に掛け回すことになる。以下、同じ。）に掛け回すことがでる長さの第二掛け部材１０とで構成され、前記第一掛け部材７によって、連結用スライドファスナー６で上下に連結された第一面部材２と第二面部材４を該第一面部材２が上に該第二面部材４が下になるよう自動車の座席の背もたれＳ１の背面側に吊下げ可能であり、又は連結用スライドファスナー６で分離された第一面部材２を該第一面部材２の連結辺２Ａが下側になるよう自動車の座席の背もたれＳ１の背面側に吊下げ可能にし、前記第二掛け部材１０によって、連結用スライドファスナー６で分離された第二面部材４を該第二面部材４の連結辺４Ａが下側になるよう自動車の座席の背もたれＳ１の背面側に吊下げ可能に構成してある。
【００３２】
この車内用吊下げ収納体１は、連結用スライドファスナー６で各面部材２，４の収納部３，５を設けた一面側が同じ面になるよう第一面部材２が上に第二面部材４を下にして各面部材２，４を上下に連結し、第一面部材２に取付けられた第一掛け部材７を自動車の座席の背もたれＳ１の上部とヘッドレストＳ２の間のヘッドレスト取付け軸部Ｓ３に掛けることによって、図１に示したように、上下に連結した第一面部材２と第二面部材４を座席の背もたれＳ１の背面側に収納部３，５を設けた面側が表側になるようにして吊して使用できる。また、この車内用吊下げ収納体１は、連結用スライドファスナー６で第一面部材２と第二面部材４を分離して、この車内用吊下げ収納体１を第一面部材２と第二面部材４に分割して使用できる。図２に示したように、分割した各面部材２，４に取付けられたそれぞれの掛け部材７，１０を自動車の左右の座席の背もたれＳ１の上部とヘッドレストＳ２の間のヘッドレスト取付け軸部Ｓ３にそれぞれ掛けることによって、分割した第一面部材２と第二面部材４を自動車の左右の座席の背もたれＳ１の背面側に収納部３，５を設けた面側が表側になるようにしてそれぞれ吊して使用できる。すなわち、分割した第一面部材２は上下を連結使用時の状態と同じにして第一掛け部材７で吊して使用し、分割した第二面部材４は連結使用時とは上下を反対にして第二掛け部材１０で吊して使用する。
【００３３】
図３に示したように、略方形（横が長い長方形）の板状の前記第一面部材２と第二面部材４は、各面部材の表皮面が合成繊維布などの柔軟シート材から成る柔軟シート部２ａ，４ａで形成されると共に、各連結辺２Ａ，４Ａとは反対側の他辺２Ｂ，４Ｂ側の端部寄りの柔軟シート部２ａ，４ａの内部に硬めの板状芯材２ｂ，４ｂを入れて装着し、前記連結用スライドファスナー６で連結した第一面部材２と第二面部材４のそれぞれの板状芯材２ｂ，４ｂの装着位置の間の柔軟シート部２ａ，４ａを折り畳み可能な折り曲げ部２０としてある。前記第一面部材２と第二面部材４の各連結辺２Ａ，２Ｂを除いた周縁部はバイアステープなどの縁取りテープ２ｃ，４ｃで縁取りされている。この縁取りによって板状芯材２ｂ，４ｂは柔軟シート部２ａ，４ａの内部に装着される。
【００３４】
特に、分割した第一面部材２と第二面部材４を自動車の左右の座席の背もたれＳ１の背面側にそれぞれの掛け部材７，１０で吊して使用する場合、それぞれの板状芯材２ｂ，４ｂの装着位置が各面部材２，４の上端部側に位置するため、各面部材２，４の吊り下げ姿勢をそれぞれの板状芯材２ｂ，４ｂで保持できる。しかも、連結用スライドファスナー６で連結した第一面部材２と第二面部材４のそれぞれの板状芯材２ｂ，４ｂの装着位置の間の柔軟シート部２ａ，４ａを折り畳み可能な折り曲げ部２０としてあるため、この折り曲げ部２０で車内用吊下げ収納体１を収納部３，５が内側になるようにして折り畳みできる。
【００３５】
第一面部材２の一面側に設けた前記収納部３は連結した吊り下げ状態あるいは分離した吊り下げ状態において上方向に開口部を向けた複数の収納ポケットとしてある。この収納ポケットは柔軟な素材で形成してある。また、前記第二面部材４の一面側に設けた前記収納部５は、該第二面部材４の一面側を柔軟なメッシュ状の被い部５Ａで収納空間を空けて覆って取付け、このメッシュ状の被い部５Ａに該被い部を開閉可能とする被い部開閉用二スライドファスナー５Ｂを装着して構成してある。この被い部開閉用二スライドファスナー５Ｂは前記連結辺４Ａと平行に装着され、メッシュ状の被い部５Ａを上下部分に区分けできるようにしてある。メッシュ状の被い部５Ａは、この被い部の周縁部が前記縁取りテープ４ｃと後述する補強テープ２８によって止着されて、第二面部材４の一面側に取り付けられている。
【００３６】
第一面部材２の複数の収納ポケット３として、図示した実施形態では、第一面部材２の一面の左右両側位置にボトル上部が露出するボトル収納ポケット３Ａを設け、両側のボトル収納ポケット３Ａの間にその他の物品を収納する収納ポケット３を設けてある。このボトル収納ポケット３Ａの内壁は保冷や保温ができる保冷保温材で形成してある。
【００３７】
第二面部材４のメッシュ状の収納部５にはおむつや着替えの衣類などを効率良く収納できる。第二面部材４のメッシュ状の収納部５は上下を反対にしても収納部としての働きが同じになるように構成してあるため、連結使用時はもちろんのこと、図２（Ｂ）に示した上下を反対にして使用する分割使用時も収納部として同じ働きができる。
【００３８】
なお、図示した実施例の略方形（横が長い長方形）の第一面部材２は、横幅が約４４ｃｍ、縦幅が約２９ｃｍであり、略方形（横が長い長方形）の第二面部材４は、横幅が約４４ｃｍ、縦幅が約２２ｃｍとしてある。また、第一面部材２と第二面部材４を連結用スライドファスナー６で連結した連結状態での全縦幅は約５２ｃｍとしてある。もちろん、本考案の車内用吊下げ収納体１は、図示した実施例のサイズに限定されるものではない。
【００３９】
第一面部材２に取り付けられた前記第一掛け部材７は、第一面部材２の連結辺２Ａとは反対側の他辺部２Ｂ側（すなわち図１において第一面部材２の上部側に）にその両端部が取付けられ、座席の背もたれＳ１の上部とヘッドレストＳ２の間のヘッドレスト取付け軸部Ｓ３に掛け回して第一面部材２を背もたれＳ１の背面側に吊下げ可能な長さを有する帯状の掛けバンドである。この掛けバンドは、この掛けバンドに該掛けバンドのバンド長さを調節できる長さ調節具８と該掛けバンドをバンド途中で分断と連結ができる装脱着可能な雄バックルと雌バックルから成る第一連結具９を設けてある。第二面部材４に取り付けられた前記第二掛け部材１０は、第二面部材４の連結辺４Ａとは反対側の他辺部４Ｂ側（すなわち図１では第二面部材４の下部側、図２では第二面部材４の上部側に）にその両端部が取付けられ、座席の背もたれＳ１の上部とヘッドレストＳ２の間のヘッドレスト取付け軸部Ｓ３に掛け回して第二面部材４を座席の背もたれＳ１の背面側に吊下げ可能な長さを有する帯状の掛けバンドである。この掛けバンドは、この掛けバンドに該掛けバンドのバンド長さを調節できる長さ調節具１１と該掛けバンドをバンド途中で分断と連結ができる装脱着可能な雄バックルと雌バックルから成る第二連結具１２を設けてある。
【００４０】
雄バックルと雌バックルから成る連結具９，１２のワンタッチの装脱着で掛けバンドを座席の背もたれＳ１の上部とヘッドレストＳ２の間のヘッドレスト取付け軸部Ｓ３に簡単に掛け回し装着できる。
【００４１】
前記第二掛け部材１０は、前記第二面部材４の連結辺４Ａとは反対側の他辺部４Ｂ側（すなわち図１では第二面部材４の下部側、図２では第二面部材４の上部側）の両端側に取り付けられた取付けバンド部１３と、この取付けバンド部１３の自由端部に取り付けられ、この取付けバンド部１３を介して前記第二面部材４に取り付けられた、座席の背もたれＳ１の下部の全周に掛け回し可能な長さを有する環状の固定バンド部１４を有し、この環状の固定バンド部１４に該固定バンド部のバンド長さを調節できる長さ調節具１１と該固定バンド部１４をバンド途中で分断と連結ができる装脱着可能な雄バックルと雌バックルから成る第二連結具１２を設けてあり、上下に連結した第一面部材２と第二面部材４を座席の背もたれＳ１の背面側に吊して使用する場合は、長さ調節可能な環状の固定バンド部１４を座席の背もたれＳ１の下部の全周に掛け回し締め付けることによって、車内用吊下げ収納体１の下部側を座席の背もたれの背面側に固定できるようにしてある。この第二連結具１２と長さ調節具１１は、図１に示したように環状の固定バンド部１４の取付けバンド部１３による取付け位置間のバンド部を除くバンド部に設けてある。
【００４２】
すなわち、図示した実施形態の第二掛け部材１０は、バンド長さを調節することによって、図１の連結使用時では、環状の固定バンド部１４を座席の背もたれＳ１の下部の全周に掛け回し締め付けることによって、車内用吊下げ収納体１の下部側を座席の背もたれＳ１の背面側に固定する固定バンドとして機能させ、図２の（Ｂ）に示した分割使用時では、座席の背もたれＳ１の上部とヘッドレストＳ２の間のヘッドレスト取付け軸部Ｓ３に掛け回し、分割した第二面部材４を背もたれＳ１の背面側に吊下げ可能な掛けバンドとして機能するようにしてある。
【００４３】
さらに第二掛け部材１０は、前記取付けバンド部１３に該取付けバンド部をバンド途中で分断と連結ができる装脱着可能な雄バックルと雌バックルから成る第三連結具１５を設け、この第三連結具１５によって環状の固定バンド部１４を車内用吊下げ収納体１から取り外しできるようにしてある。車内用吊下げ収納体１をバッグ状に折り畳んで用いる場合は、環状の固定バンド部１４を車内用吊下げ収納体１から取り外して使用できるようにしてある。
【００４４】
前記した連結具（第一連結具９、第二連結具１２、第三連結具１５）は、バンド途中で分断したバンドの両端部に雄バックルと雌バックルをそれぞれ装着した、サイドリリースバックルを構成する装脱着可能な雄バックルと雌バックルから成る公知の連結具を採用している。この連結具は、弾性変形する対の係合爪をもつ雄バックルと、受け部内に挿着された対の係合爪が係止される対の係止部をもつ雌バックルから成り、雌バックルの受け部内に雄バックルの対の係合爪を挿着すればワンタッチで装着され、雄バックルの対の係合爪を内側に押圧すれば雌バックルの対の係止部との係合が解除され、雄バックルを雌バックルから簡単に外すことができるように成っている。
【００４５】
また、前記した長さ調節具８，１１も前記雄バックルの他端部に一体形成した公知の長さ調節具を採用している。この長さ調節具８，１１は、規制軸部を間にして雄バックル側に形成した第一バンド通し口と第二バンド通し口を隣接成形し、第一バンド通し口に挿通したバンド端部を規制軸部に巻き付けるようにして折り返し、折り返したバンド端部を第二バンド通し口に挿通することによってバンドの折り返し部を固定できるようにした構造になっている。この長さ調節具８，１１でバンドの折り返し長さを調整することによって、バンド長さを調節できるようになっている。
【００４６】
なお、第一掛け部材７及び第二掛け部材１０は、座席の背もたれＳ１の上部とヘッドレストＳ２の間のヘッドレスト取付け軸部Ｓ３に引っ掛けて吊下げできる吊下げフックを除外するものではない。
【００４７】
第一面部材２及び第二面部材４には、各面部材の収納部３，５を設けた面側に各面部材の吊り下げ上下方向とは直交する方向（各面部材の横幅方向）に所定の間隔を空けて複数のフック状の係合部材２５をそれぞれ取付けてある。図３に示したように、この係合部材２５は一端部が面部材面に止着された折り曲げ自在な柔軟な係合帯部２６を有し、この係合帯部２６の折り返し状態で対向する両端部に着脱自在な係止具（着脱自在な雄雌のホック）２７を設け、この係合帯部２６がこの係止具（着脱自在な雄雌のホック）２７を介して閉じたループ帯形態、開いた開放帯形態に開閉可能に構成されている。図１〜図５に示したように、この係合部材２５の係合帯部２６は、その一端部を面部材面と横幅方向に延びる補強テープ２８の間に入れた状態で該補強テープ２８と共に面部材面に逢着され止着されている。
【００４８】
第一面部材２に取り付けたフック状の係合部材２５は、両側に設けたボトル収納ポケット３Ａの間に複数（図面の実施例では２個）取付けてある。第二面部材４に取り付けたフック状の係合部材２５は、第二面部材４の連結辺４Ａ側に横幅方向に所定の間隔を空けて複数（図面の実施例では３個）取付けてある。例えば、手提げ部をもつビニール袋の手提げ部を複数のフック状の係合部材２５に通して掛けることで、各面部材に上方向に開口部を向けて拡げたビニール袋を吊下げ支持でき、ビニール袋を車内用ゴミ袋として有効に使用できる。
【００４９】
図４、５に示したように、前述した複数のフック状の係合部材２５を取付けた本考案の車内用吊下げ収納体１は、別体のティッシュ収納ケース３０を付属させて使用することができる。このティッシュ収納ケース３０は、一面にティッシュペーパーの取り出し口をもつ公知のティッシュ入り紙箱を収納する収納ケースであり、このティッシュ収納ケース３０は、公知のティッシュ入り紙箱の取り出し口に対応する取り出し口３１を開口した前面部３０Ａ、後面部３０Ｂ、上面部３０Ｃ、下面部３０Ｄ、左右側面部３０Ｅ，３０Ｆをもつ柔軟材で形成された箱体であり、該ティッシュ収納ケース３０の前面部３０Ａの前記上面部３０Ｃ及び左右側面部３０Ｅ，３０Ｆに接する三辺に沿ってティッシュ収納ケース開閉用スライドファスナー３２を装着し、このケース開閉用スライドファスナー３２で前面部３０Ａの全面を開閉可能に構成し、該ティッシュ収納ケース３０の後面部３０Ｂと上面部３０Ｃの境界位置の両端側に前記係合部材２５に通して掛けることができる係合ループ３３，３３をそれぞれ取付けて構成されている。
【００５０】
このティッシュ収納ケース３０の左右一対の係合ループ３３，３３を車内用吊下げ収納体１の二つのフック状の係合部材２５にそれぞれ通して掛けることで、このティッシュ収納ケース３０を該収納ケースの取り出し口３１を開口した前面部３０Ａを前面方向に向けて各面部材に吊下げ支持できるため、ティッシュ収納ケース３０内に収納してあるティッシュ入り紙箱内のティッシュペーパーを該収納ケースの前面部３０Ａの取り出し口３１から取り出し易い。しかも開閉用スライドファスナー３２でティッシュ収納ケース３０の前面部３０Ａを全開することで新しいティッシュ入り紙箱の取替えが容易にできる。
【００５１】
前述したように、車内用吊下げ収納体１は、折り曲げ部２０でこの車内用吊下げ収納体１を収納部３，５が内側になるようにしてバッグ状に折り畳みできるようにしてある。図３及び図６に示したように、第一面部材２の収納部３を設けた面の裏側面で前記連結辺２Ａとは反対側の他辺２Ｂ側の端部寄り位置に雄又は雌のホックから成る第一止着具３５（ホックに代えて面ファスナーでも良い。）を取付け、他方の面部材４の収納部５を設けた面の裏側面で前記連結辺４Ａとは反対側の他辺４Ｂ側の端部寄り位置にバッグ状に折り畳まれた車内用吊下げ収納体１の両端部に掛け渡しできる長さの閉じバンド３６を取付け、この閉じバンド３６の自由端部に前記第一止着具３５に装脱着される雄又は雌のホックから成る第二止着具３７（ホックに代えて、閉じバンドの長さ方向に取付けた第一止着具の面ファスナーに面で着脱自在に止着される長い面ファスナーでも良い。）を取付けてある。閉じバンド３６に取り付けた雄又は雌のホックから成る第二止着具３７は該閉じバンドの長さ方向に間隔を空けて複数個取付けてある。
【００５２】
バッグ状に折り畳まれた車内用吊下げ収納体１を提げるための提げ部３８，３９を前記第一面部材２と第二面部材４の前記連結辺２Ａ，４Ａとは反対側の他辺側の端部にそれぞれ取付けてある。なお、図示した実施形態では、第一面部材２の提げ部３８は前記第一掛け部材（掛けバンド）７で兼用している。
【００５３】
前記折り曲げ部２０で車内用吊下げ収納体１を収納部３，５が内側になるようにしてバッグ状に折り畳み、前記閉じバンド３６を折り畳まれた車内用吊下げ収納体１の両端部に掛け渡し、この閉じバンド３６の第二止着具（ホック）３７と前記第一止着具（ホック）３５を止着することで、車内用吊下げ収納体１を図６に示したようなバッグ状の折り畳み形態に保持できる。バッグ状に折り畳まれた車内用吊下げ収納体１は各面部材に取り付けた提げ部３８，３９で提げて携行できる。
【符号の説明】
【００５４】
１  車内用吊下げ収納体
２  第一面部材
２Ａ  第一面部材の連結辺
２ａ  第一面部材の柔軟シート部
２ｂ  第一面部材の板状芯材
３  第一面部材の収納部（収納ポケット）
３Ａ  ボトル収納ポケット
４  第二面部材
４Ａ  第二面部材の連結辺
４ａ  第二面部材の柔軟シート部
４ｂ  第二面部材の板状芯材
５  第二面部材の収納部
５Ａ  メッシュ状の被い部
５Ｂ  被い部開閉用スライドファスナー
６  連結用スライドファスナー
７  第一掛け部材（掛けバンド）
８  長さ調節具
９  第一連結具
１０  第二掛け部材（掛けバンド）
１１  長さ調節具
１２  第二連結具
１３  取付けバンド部
１４  環状の固定バンド部
１５  第三連結具
２０  折り曲げ部
２５  フック状の係合部材
２６  係合帯部
２７  係止具（雄雌のホック）
２８  補強テープ
３０  ティッシュ収納ケース
３０Ａ  前面部
３１  前面部の取り出し口
３２  ティッシュ収納ケース開閉用スライドファスナー
３３  係合ループ
３５  第一止着具（雄又は雌のホック）
３６  閉じバンド
３７  第二止着具（雄又は雌のホック）
３８  第一面部材に取り付けた提げ部
３９  第二面部材に取り付けた提げ部
Ｓ１  自動車の座席の背もたれ
Ｓ２  ヘッドレスト
Ｓ３  ヘッドレスト取付け軸部
【図１】
0003206722.tif 000003
【図２】
0003206722.tif 000004
【図３】
0003206722.tif 000005
【図４】
0003206722.tif 000006
【図５】
0003206722.tif 000007
【図６】
0003206722.tif 000008